(57)【要約】【課題】構造が簡単で使用に便利・快適であり、電子機器の損傷防止機能と美観に優れた全被覆式保護ケースを提供すること。【解決手段】前面カバー１０と背面カバー２０を閉じ合わせて電子機器１００を収容するための収容空間を形成し、背面カバー２０が電子機器１００の背面に連接され、背面カバー２０の内側面が凹陥されて放熱溝が形成され、放熱溝内に放熱片が設置され、収容空間内の電子機器１００が放熱片に接触し、前面カバー１０が電子機器１００の正面に連接され、前面カバー１０が電子機器１００のタッチディスプレイ１０３に正対する透明のウィンドウ部１３を備え、収容空間は、電子機器１００の側面ポート１０４に対応する接続用開口部と、ボタン用開口部を備え、電子機器１００の側面ボタン１０５がボタン用開口部に挿通されて突出される。【選択図】図２
0003202433.tif 000002
【実用新案登録請求の範囲】
【請求項１】
電子機器の外側を被覆して保護する全被覆式保護ケースであって、前面カバーと背面カバーを含み、前記前面カバーと前記背面カバーを相互に閉じ合わせて中空構造を形成し、前記中空構造が前記電子機器を収容するための収容空間を形成し、前記背面カバーが前記電子機器の背面に連接され、前記背面カバーの内側面が凹陥されて放熱溝が形成され、前記放熱溝内に放熱片が設置され、前記収容空間内に収容された前記電子機器が前記放熱片に接触し、前記前面カバーが前記電子機器の正面に連接され、前記前面カバーが前記電子機器の正面のタッチディスプレイに正対するウィンドウ部を備え、前記ウィンドウ部が透明の構造であり、前記収容空間が前記電子機器の側面ポートに対応する接続用開口部を備え、前記収容空間にさらにボタン用開口部が開設され、前記電子機器の側面ボタンが前記ボタン用開口部に挿通されて突出されることを特徴とする、全被覆式保護ケース。
【請求項２】
前記前面カバーに第１粘着層が設けられ、前記前面カバーが前記第１粘着層により前記電子機器の正面に連結されることを特徴とする、請求項１に記載の全被覆式保護ケース。
【請求項３】
前記背面カバーに第２粘着層が設けられ、前記背面カバーが前記第２粘着層により前記電子機器の背面に連結されることを特徴とする、請求項１に記載の全被覆式保護ケース。
【請求項４】
前記前面カバーと前記背面カバーがいずれも薄板状の構造であることを特徴とする、請求項１に記載の全被覆式保護ケース。
【請求項５】
前記接続用開口部が前記前面カバーまたは前記背面カバーに開設されたことを特徴とする、請求項１に記載の全被覆式保護ケース。
【請求項６】
前記ボタン用開口部が前記前面カバーまたは前記背面カバーに開設されたことを特徴とする、請求項１に記載の全被覆式保護ケース。
【請求項７】
前記前面カバーの辺縁に前接続用切欠部が開設され、前記背面カバーの辺縁に背面接続用切欠部が開設され、前記前接続用切欠部と前記背面接続用切欠部を相互に閉じ合わせて前記接続用開口部が形成されることを特徴とする、請求項１に記載の全被覆式保護ケース。
【請求項８】
前記前面カバーの辺縁に前ボタン用切欠部が開設され、前記背面カバーの辺縁に背面ボタン用切欠部が開設され、前記前ボタン用切欠部と前記背面ボタン用切欠部を相互に閉じ合わせて前記ボタン用開口部が形成されることを特徴とする、請求項１に記載の全被覆式保護ケース。
【請求項９】
放熱金属片を含み、前記放熱金属片が前記放熱溝内に設置され、かつ辺縁が前記背面カバー中に嵌入され、前記放熱片が前記放熱金属片上に付着されることを特徴とする、請求項８に記載の全被覆式保護ケース。
【請求項１０】
前記放熱片が、熱伝導層、熱伝導担体層、放熱層を含み、前記熱伝導層と放熱層が前記熱伝導担体層の両面にそれぞれ相対して設置され、前記放熱層が前記放熱金属片上に付着され、前記熱伝導層と前記電子機器が接触して熱エネルギーが前記熱伝導担体層内に伝導され、前記熱伝導担体層が前記放熱層を介して熱を前記放熱金属片に伝導し、空気中に放出させることを特徴とする、請求項９に記載の全被覆式保護ケース。
【考案の詳細な説明】
【技術分野】
【０００１】
本考案は、電子機器を保護する全被覆式保護ケースに関する。
【背景技術】
【０００２】
科学技術の目覚しい発展と、人々のより高い生活レベルの追求に伴い、多くの電子製品が生まれ、かつ電子製品に最大の使用性能を発揮させると同時に、携帯の便利さと手に持ったときの操作しやすさも電子製品が追求を続ける目標となっている。
現在、ハンドヘルド式電子機器においてよく見受けられるものには携帯電話、ＰＤＡ、携帯ゲーム機、タブレット等があるが、これらは基本的には電子処理装置に属し、組み合わせて用いる関連の電子入力装置として、薄型キーボード、タッチパネルまたはトラックボール等の装置がある。
電子処理装置と電子入力装置間は有線または無線の転送技術を採用することができる。よく見受けられる有線転送技術には、ＵＳＢまたはＰＳ２転送ケーブルを使用したデータ入力方式がある。無線転送技術は、無線周波数（ＲＦ）またはＢｌｕｅｔｏｏｔｈ（登録商標）モジュールを利用して電子処理装置と無線通信およびデータ転送作業を行っている。
【０００３】
従来のハンドヘルド式電子機器は精密装置に属するため、不適切な衝撃を許容できない。このため、ハンドヘルド式電子機器を携帯および使用するときは充分に気をつける必要があり、これらハンドヘルド式電子機器をよりしっかりと保護し、携帯電話やタブレットなどに傷がつかないようにするために、市場には組み合わせて使用する保護ケースが出回っている。
これらの保護ケースは、その構造タイプの違いに基づいて大きく２タイプに分けることができる。第１のタイプは保護ケースが収容空間を備えた底カバーのみで構成されているものであり、第２のタイプは保護ケースが収容空間を備えた底カバーと回動可能な前カバーで構成されるものである。これら２タイプの保護ケースはいずれも電子機器に一定の保護効果をもたらすことができるが、一方でこれら２タイプの保護ケースには応用において次のような欠陥がある。
【０００４】
（１）第１のタイプの保護ケースは、電子機器を底カバーの収容空間内に嵌め込むだけであるため、電子機器の背面及び側面が被覆・保護されるのみであり、そのタッチディスプレイは完全に外部に露出されており、いかなる保護も施されていない。周知のとおり、タッチディスプレイは電子機器であり、特にタッチディスプレイを装備した電子機器の操作と情報確認のための中核部材であるが、同時に汚れや傷がつきやすく、ぶつけると破損しやすい部材であるため、タッチディスプレイはユーザーが重点的に保護したい重要部材であるにも関わらず、第１のタイプの保護ケースはタッチディスプレイに対していかなる保護も提供されていない。このため、第１のタイプの保護ケースはユーザーのタッチディスプレイ保護に対するニーズを満たすことができず、幅広い電子機器のユーザーにより現在淘汰されつつある。
【０００５】
（２）第２のタイプの保護ケースは、使用時に、まず電子機器を底カバーの収容空間内に嵌め込み、その後前カバーを翻転させて電子機器のタッチディスプレイ上に閉じ合わせる。このタイプの保護カバーは、幅広い携帯電話ユーザーのタッチディスプレイ保護に対するニーズを一定程度満たしているが、このタイプの保護カバーを装着した電子機器は、電子機器を操作するときと、タッチディスプレイの表示メッセージを確認するときに、毎回先に前カバーを翻転させなければタッチディスプレイに対して直接操作と確認を行うことができず、その操作過程に手間がかかり、ユーザーの製品使用に対する快適性が低下している。
【０００６】
（３）上述の２タイプの保護ケースの構造と製造工程はいずれも比較的複雑であり、かつ電子機器に装着したとき、電子機器全体の輪郭的美観が大きな影響を受け、現代人が最も求めている簡潔な審美ニーズに適さないため、徐々に広範な電子機器ユーザーに淘汰されつつある。同時に、ユーザーは、これらスマートフォンなどのスマート化された電子機器と従来の携帯電話の耐落下性には本質的な違いがあり、従来の携帯電話のほうが明らかにスマートフォンより耐落下性に優れていることをはっきりと認識しているが、現在の社会環境において、人々はその耐落下性をそれほど気にして強調することはなくなり、最も求めているのはスマート化された機能とデザインの美しさであるため、多くの人々がスマートフォンで従来の携帯電話を代替している。スマートフォンを選択したユーザーは、使用時にできる限り落下を回避することを意識しており、かつその外観の美しさと本来の姿を保ちたいと考えているため、選択する保護ケースも電子機器に傷がつかないように保護するとともに、その本来のデザイン美を保つことに重点を置く傾向がある。
【０００７】
（４）タッチディスプレイ類の電子機器は使用時に大量の熱を発生するため、放熱問題に特に注意する必要があり、発生した熱を速やかに排除することで、電子機器の動作をより円滑にするとともに、その使用寿命を延長することができるが、上述の２タイプの保護ケースの構造は複雑すぎ、厚みも比較的厚いため、電子機器の使用時に放熱不良を引き起こしやすい。
【考案の概要】
【考案が解決しようとする課題】
【０００８】
本考案が解決しようとする課題は、上述の問題を解決し、構造が簡単で使用に便利・快適であり、電子機器の損傷防止機能と美観に優れた全被覆式保護ケースを提供することにある。
【課題を解決するための手段】
【０００９】
本考案は、電子機器の外側を被覆して保護する全被覆式保護ケースに関し、前面カバーと背面カバーを含み、前記前面カバーと前記背面カバーを相互に閉じ合わせて中空構造を形成し、前記中空構造が前記電子機器を収容するための収容空間を形成し、前記背面カバーが前記電子機器の背面に連接され、前記背面カバーの内側面が凹陥されて放熱溝が形成され、前記放熱溝内に放熱片が設置され、前記収容空間内に収容された前記電子機器が前記放熱片に接触し、前記前面カバーが前記電子機器の正面に連接され、前記前面カバーが前記電子機器の正面のタッチディスプレイに正対するウィンドウ部を備え、前記ウィンドウ部が透明の構造であり、前記収容空間が前記電子機器の側面ポートに対応する接続用開口部を備え、前記収容空間にさらにボタン用開口部が開設され、前記電子機器の側面ボタンが前記ボタン用開口部に挿通されて突出される。
【００１０】
好ましくは、前記前面カバーに第１粘着層が設けられ、前記前面カバーが前記第１粘着層により前記電子機器の正面に連結される。
好ましくは、前記背面カバーに第２粘着層が設けられ、前記背面カバーが前記第２粘着層により前記電子機器の背面に連結される。
好ましくは、前記前面カバーと前記背面カバーがいずれも薄板状の構造である。
好ましくは、前記接続用開口部が前記前面カバーまたは前記背面カバーに開設される。
好ましくは、前記ボタン用開口部が前記前面カバーまたは前記背面カバーに開設される。
好ましくは、前記前面カバーの辺縁に前接続用切欠部が開設され、前記背面カバーの辺縁に背面接続用切欠部が開設され、前記前接続用切欠部と前記背面接続用切欠部を相互に閉じ合わせて前記接続用開口部が形成される。
好ましくは、前記前面カバーの辺縁に前ボタン用切欠部が開設され、前記背面カバーの辺縁に背面ボタン用切欠部が開設され、前記前ボタン用切欠部と前記背面ボタン用切欠部を相互に閉じ合わせて前記ボタン用開口部が形成される。
【００１１】
好ましくは、放熱金属片を含み、前記放熱金属片が前記放熱溝内に設置され、かつ辺縁が前記背面カバー中に嵌入され、前記放熱片が前記放熱金属片上に付着される。
好ましくは、前記放熱片が、熱伝導層、熱伝導担体層、放熱層を含み、前記熱伝導層と放熱層が前記熱伝導担体層の両面にそれぞれ相対して設置され、前記放熱層が前記放熱金属片上に付着され、前記熱伝導層と前記電子機器が接触して熱エネルギーが前記熱伝導担体層内に伝導され、前記熱伝導担体層が前記放熱層を介して熱を前記放熱金属片に伝導し、空気中に放出させる。
【考案の効果】
【００１２】
本考案によれば、前面カバーと背面カバーが収容空間内に収容された電子機器を全面的に被覆すると同時に、電子機器のすべての機能性ボタン及び接続ポートがいずれも外部に露出され、直接使用できる状態に保たれるとともに、電子機器全体に対する損傷防止機能と、電子機器そのものが持つ輪郭の美観が保障される。
また、透明なウィンドウ部により電子機器のタッチディスプレイの損傷を効果的に防止し、幅広いユーザーのタッチディスプレイに対する保護のニーズを満たすことができ、かつ、ウィンドウ部を介して、電子機器の操作とタッチディスプレイの表示メッセージの確認ができ、ケースを設置していない裸の端末（即ち、出荷時の本来の製品状態）とまったく同じように操作できるため、操作が簡単で、便利かつ快適に使用することができる。
【図面の簡単な説明】
【００１３】
【図１】本考案の実施例を示す全被覆式保護ケースの使用時における斜視図である。
【図２】本考案の実施例を示す全被覆式保護ケース及び電子機器の分解斜視図である。
【図３】本考案の実施例に係る前面カバーの平面図である。
【図４】本考案の実施例に係る背面カバーの平面図である。
【図５】本考案の実施例に係る背面カバー、放熱片、放熱金属片の断面図である。
【図６】本考案の実施例に係る放熱片と放熱金属片の断面図である。
【図７】本考案の他の実施例を示す全被覆式保護ケースの分解斜視図である。
【考案を実施するための形態】
【００１４】
以下、図面を参照しながら本考案の実施例を説明する。図中、同一符号は同じ部材を表す。
図１と図２に示すように、本考案の全被覆式保護ケースは、電子機器１００の外側を被覆して保護するものであり、前面カバー１０と背面カバー２０を含み、前面カバー１０と背面カバー２０を相互に閉じ合わせて中空構造を形成し、前記中空構造が電子機器１００を収容するための収容空間３０を形成する。
背面カバー２０は、内側面２１が電子機器１００の背面１０２に連接される。背面カバー２０の内側面２１は嵌合、粘着、リベット留め等の方法で電子機器１００の背面１０２に連結することができる。背面カバー２０の外側面２２は外部に露出される。
【００１５】
前面カバー１０は内側面１２が前記電子機器１００の正面１０１に連接される。同様に、前面カバー１０の内側面１２は嵌合、粘着、リベット留め等の方法で電子機器１００の正面１０１上に連結することができる。前面カバーの外側面１１は外部に露出される。
前面カバー１０は、電子機器１００の正面１０１のタッチディスプレイ１０３に正対するウィンドウ部１３を備える。ウィンドウ部１３は透明の構造であり、具体的に、ウィンドウ部１３はガラス材質またはｐｐ材質あるいはＰＶＣ材質またはＰＥＴ材質あるいはＡＲＭ材質等とすることができる。また、ウィンドウ部１３のユーザー側を向いた一面はさらに傷防止層または砂研磨層あるいは二者の結合層を備える。
【００１６】
収容空間３０は、電子機器１００の側面ポート１０４に対応する接続用開口部３１を備える。収容空間３０にはさらにボタン用開口部３２が開設され、電子機器１００の側面ボタン１０５がボタン用開口部３２に挿通されて突出される。
前面カバー１０と背面カバー２０が収容空間３０内に収容された電子機器１００に対して全面的な被覆を行い、かつ電子機器１００のすべての機能性ボタン１０５（例：音量調節ボタン、スイッチボタンなど）とポート１０４（例：充電ポート、イヤホンポートなど）がいずれも外部に露出され、直接使用できる状態に保たれるとともに、電子機器１００全体に対する傷の防止と、電子機器１００全体の完全性、簡潔な電子機器１００そのものが持つ輪郭の美観が保障される。
【００１７】
以下、図３から図６を参照しながら本考案の全被覆式保護ケースについてより詳細に説明する。
図３に示すように、好ましくは、前面カバー１０に第１粘着層１４が設けられる。具体的に、第１粘着層１４は前面カバー１０の内側面１２に設置され、前面カバー１０は第１粘着層１４により電子機器１００の正面１０１に連結される。より具体的に、第一粘着層１４はストリップ状の構造であり、かつ前面カバー１０の辺縁を囲むように設置されるか、間隔をあけながら前面カバー１０の辺縁を囲むように設置される。
【００１８】
図４に示すように、好ましくは、背面カバー２０に第２粘着層２３が設けられる。具体的に、第２粘着層２３は背面カバー２０の内側面２１に設置され、背面カバー２０は第２粘着層２３により電子機器１００の背面１０２に連結される。より具体的に、第２粘着層２３はストリップ状の構造であり、かつ背面カバー２０の辺縁を囲むように設置されるか、間隔をあけながら背面カバー２０の辺縁を囲むように設置される。
【００１９】
好ましくは、前面カバー１０と背面カバー２０はいずれも薄板状の構造である。薄板状構造を採用した前面カバー１０と背面カバー２０は電子機器１００に傷がつかないよう効果的に保護することができ、使用時の利便性と快適性が確保されるとともに、美観が保たれる。具体的に、背面カバー２０は薄板状の本革または人造皮革とすることができ、この人造皮革は主にＰＶＣ材質またはＰＵ材質とする。より具体的に、背面カバー２０の外側面２２にはさらに装飾用の図案層を設けることができる。
【００２０】
好ましくは、接続用開口部３１は前面カバー１０または背面カバー２０に開設される。即ち、独立した１つの接続用開口部３１を完全に前面カバー１０または背面カバー２０に開設する。例えば、１つの充電ポート用の接続用開口部３１を前面カバー１０または背面カバー２０に直接開設したり、充電ポート用を前面カバー１０に開設し、イヤホン用を背面カバー２０に開設したりすることができる。
【００２１】
好ましくは、ボタン用開口部３２は前面カバー１０または背面カバー２０に開設される。即ち、独立した１つのボタン用開口部３２を完全に前面カバー１０または背面カバー２０上に開設する。例えば、音量調節ボタンを挿通させるボタン用開口部３２を前面カバー１０または背面カバー２０に直接開設したり、スイッチボタンを挿通させるボタン用開口部３２を前面カバー１０に開設し、音量調節ボタンを挿通させるボタン用開口部３２を背面カバー２０に開設したりすることができる。
【００２２】
図１から図３に示すように、好ましくは、前面カバー１０の辺縁に前接続用切欠部３１ａを開設し、背面カバー２０の辺縁に背面接続用切欠部３１ｂを開設して、前接続用切欠部３１ａと背面接続用切欠部３１ｂを相互に閉じ合わせて接続用開口部３１を形成する。即ち、前面カバー１０と背面カバー２０を相互に閉じ合わせることで電子機器１００に対する全面的な被覆を形成すると、自然に前接続用切欠部３１ａと背面接続用切欠部３１ｂが相互に閉じ合わせられて必要な接続用開口部３１が形成される。この巧妙な設計は製造が容易で、かつ効果的に各部位が適切に取り付けられているかを検証できる。
【００２３】
好ましくは、前面カバー１０の辺縁に前ボタン用切欠部３２ａを開設し、背面カバー２０の辺縁に背面ボタン用切欠部３２ｂを開設して、前ボタン用切欠部３２ａと背面ボタン用切欠部３２ｂを相互に閉じ合わせてボタン用開口部３２を形成する。即ち、前面カバー１０と背面カバー２０を相互に閉じ合わせることで電子機器１００に対する全面的な被覆を形成すると、自然に前ボタン用切欠部３２ａと背面ボタン用切欠部３２ｂが相互に閉じ合わせられて必要なボタン用開口部３２が形成される。この巧妙な設計は製造が容易で、かつ効果的に各部位が適切に取り付けられているかを検証できる。
【００２４】
図４に示すように、全被覆式保護ケースは放熱片４０を含む。背面カバー２０の内側面２１が凹陥されて放熱溝２１０が形成され、放熱片４０が放熱溝２１０内に設置される。電子機器１００は、収容空間３０内に収容されたとき放熱片４０に接触し、背面カバー２０に設置された放熱片４０を介して、電子機器１００の使用時に発生する熱を迅速に放出させ、本考案の全被覆式保護ケースを使用した電子機器１００の動作速度及び使用寿命を効果的に向上させる。
【００２５】
図５に示すように、好ましくは、全被覆式保護ケースがさらに放熱金属片４１を含む。放熱金属片４１は放熱溝２１０内に設置され、かつ辺縁が背面カバー２０中に嵌入され、放熱片４０が放熱金属片４１上に付着され、放熱金属片４１により放熱性能をさらに向上させる。具体的に、背面カバー２０が本革または人造皮革の場合、放熱片４０と放熱金属片４１はその内部に直接嵌置すればよい。
【００２６】
図６に示すように、好ましくは、放熱片４０が、熱伝導層４０１、熱伝導担体層４０２、放熱層４０３を含む。
熱伝導層４０１と放熱層４０３は熱伝導担体層４０２の両側にそれぞれ相対して設置され、放熱層４０３が放熱金属片４１上に付着される。そして、熱伝導層４０１と電子機器１００が接触されて熱エネルギーが熱伝導担体層４０２内に迅速に伝導され、熱伝導担体層４０２が放熱層４０３を介して熱を放熱金属片４１に伝導し、空気中に放出させる。
【００２７】
図１から図６に示すように、本考案の全被覆式保護ケースの前面カバー１０と背面カバー２０は相互に閉じ合わせて中空構造を形成しており、前記中空構造が電子機器１００を収容するための収容空間３０を形成し、収容空間３０が電子機器１００の側面ポート１０４に対応する接続用開口部３１を備え、収容空間３０にはさらにボタン用開口部３２も設けられており、電子機器１００の側面ボタン１０５がボタン用開口部３２に挿通されて突出されるため、前面カバー１０と背面カバー２０が収容空間３０内に収容された電子機器１００を全面的に被覆すると同時に、電子機器１００のすべての機能性ボタン１０５（例：音量調節ボタン、スイッチボタンなど）及び接続ポート１０４（例：充電ポート、イヤホンポートなど）がいずれも外部に露出され、直接使用できる状態に保たれるとともに、電子機器１００全体に対する傷の防止と、電子機器１００全体の完全性、簡潔な電子機器１００そのものが持つ輪郭の美観が保障される。
【００２８】
また、前面カバー１０が電子機器１００の正面１０１のタッチディスプレイ１０３に正対する透明なウィンドウ部１３を備えており、透明構造のウィンドウ部１３により電子機器１００のタッチディスプレイ１０３が傷つくのを効果的に防止し、幅広いユーザーのタッチディスプレイ１０３に対する保護のニーズを満たすことができ、かつ毎回電子機器１００の操作とタッチディスプレイ１０３の表示メッセージの確認を行うとき、ウィンドウ部１３を介して直接操作と確認ができ、ケースを設置していない裸の端末（即ち、出荷時の本来の製品状態）とまったく同じように操作できるため、操作が簡単で、便利かつ快適に使用することができる。
【００２９】
図７は本考案の他の実施例を示す。
全被覆式保護ケースは、電子機器１００の外側を被覆して保護するものであり、前面カバー１０と背面カバー２０を含み、前面カバー１０と背面カバー２０を相互に閉じ合わせて中空構造を形成し、前記中空構造が電子機器１００を収容するための収容空間３０を形成する。
本実施例と上記図１〜図６に示す実施例との違いは、背面カバー２０が一定の高さを備えた側壁を有し、前面カバー１０が略平板状である点にある。前面カバー１０が電子機器の正面１０１のタッチディスプレイ１０３に対応するウィンドウ部１３を備え、背面カバー２０の内側面２１を電子機器１００の背面に嵌着でき、同様に背面カバー２０に電子機器１００のポート１０４とボタン１０５に対応してそれらを外部に露出させる接続用開口部３１とボタン用開口部３２が設けられ、これにより操作の利便性と電子機器に対する全面的な被覆と保護を達成することができる。
【符号の説明】
【００３０】
１０      前面カバー
１００    電子機器
１０１    正面
１０２    背面
１０３    タッチディスプレイ
１０４    側面ポート
１０５    側面ボタン
１１      外側面
１２      内側面
１３      ウィンドウ部
１４      第１粘着層
２０      背面カバー
２１      内側面
２１０    放熱溝
２２      外側面
２３      第２粘着層
３０      収容空間
３１      接続用開口部
３１ａ    前接続用切欠部
３１ｂ    背面接続用切欠部
３２      ボタン用開口部
３２ａ    前ボタン用切欠部
３２ｂ    背面ボタン用切欠部
４０      放熱片
４０１    熱伝導層
４０２    熱伝導担体層
４０３    放熱層
４１      放熱金属片
【図１】
0003202433.tif 000003
【図２】
0003202433.tif 000004
【図３】
0003202433.tif 000005
【図４】
0003202433.tif 000006
【図５】
0003202433.tif 000007
【図６】
0003202433.tif 000008
【図７】
0003202433.tif 000009